(57)【特許請求の範囲】
【請求項１】
外袋と防水性を備えた内袋とを組み合わせてなり、上部袋口を草花の生け口とした袋状をなすと共に、
この生け口を巡るように備えられた口部保形線材と、
袋底の保形板と、
袋の上下方向に沿い、かつ、袋の周回方向において隣り合う側部保形線材との間に間隔を開けるようにして備えられた、少なくとも３本以上の側部保形線材とを有しており、
少なくとも側部保形線材が、塑性変形を繰り返し可能とする材料によって構成されていることを特徴とする袋状花器。
【請求項２】
内袋は、一枚の防水シートを、展開状態にあるこの防水シートの中央が袋底となるように、シート縁を生け口の大きさに寄せるように折ることで構成されていることを特徴とする請求項１記載の袋状花器。
【発明の詳細な説明】
【技術分野】
【０００１】
この発明は、袋状をなしながら花瓶のように用いられると共に、その形を必要に応じて変えることができる花器に関する。
【背景技術】
【０００２】
生け花などに用いる花器は、陶器などよりなり、その形は最初から定まっている。単一の花器でありながら、必要に応じてその形を変化させることができるようにした花器はこれまでなかった。
【発明の開示】
【発明が解決しようとする課題】
【０００３】
この発明が解決しようとする主たる問題点は、必要に応じてその形を変化させることができるようにした花器を提供する点にある。
【課題を解決するための手段】
【０００４】
前記課題を達成するために、この発明にあっては、袋状花器を、以下の（１）〜（５）の構成を備えたものとした。
（１）外袋と防水性を備えた内袋とを組み合わせてなり、上部袋口を草花の生け口とした袋状をなすと共に、
（２）この生け口を巡るように備えられた口部保形線材と、
（３）袋底の保形板と、
（４）袋の上下方向に沿い、かつ、袋の周回方向において隣り合う側部保形線材との間に間隔を開けるようにして備えられた、少なくとも３本以上の側部保形線材とを有しており、
（５）少なくとも側部保形線材が、塑性変形を繰り返し可能とする材料によって構成されている。
【０００５】
内袋は防水性を備えていることから、袋状花器内に水を蓄えた状態で生け口から草花を生け込むことができる。袋状花器は、袋底の保形板と口部保形線材と側部保形線材とによって、袋底を下にして起立した状態で使うことができると共に、上下方向における中間部をつぶしたり、この中間部をひねったような状態にして使うこともできる。また、生け口の形を変えることもできる。
【０００６】
前記内袋を、一枚の防水シートを、展開状態にあるこの防水シートの中央が袋底となるように、シート縁を生け口の大きさに寄せるように折ることで構成させておくこともある。
【０００７】
このようにした場合、内袋を継ぎ目や縫い目なく構成させることができ、生けられる草花のためにこの内袋内にため込まれる水を漏れ出させることがないようにすることができる。
【発明の効果】
【０００８】
この発明にかかる袋状花器によれば、袋底を下にして起立して用いることができるばかりでなく、側部保形線材を塑性変形させることにより、必要に応じてその形を変えることができる。
【発明を実施するための最良の形態】
【０００９】
以下、図１ないし図５に基づいて、この発明を実施するための最良の形態について説明する。
【００１０】
なお、ここで図１は、実施の形態にかかる袋状花器を斜視の状態として、図２および図３は断面の状態として、また、図４はこの袋状花器に草花Ｆを生けた様子を、図５はこの袋状花器を変形させた様子を、それぞれ示している。
【００１１】
この実施の形態にかかる袋状花器は、袋状をなしながら花瓶のように用いられると共に、その形を必要に応じて、生けられる草花Ｆとの関係や花器を設置する場所などに応じてもっとも良い雰囲気を醸し出すように、変えることができるものである。
【００１２】
かかる袋状花器は、外袋１と防水性を備えた内袋２とを組み合わせてなり、上部袋口３を草花Ｆの生け口３０とした袋状をなすように構成されている。
【００１３】
図示の例では、外袋１は、縦方向に長い略長方形の四枚の側生地１０、１０…と、略正方形の一枚の底生地１１とから構成されている。すなわち、外袋１は、四枚の側生地１０、１０…から角筒を形成させるように、隣り合う側生地１０同士をその長辺部で縫着させ合わせると共に、このように構成された角筒の筒下端を閉塞させるように底生地１１の四周をこの筒下端に縫着させ合わせて、構成されている。外袋１の材料としては、布、皮革、合成皮革など、可撓性を持った各種の生地を用いることができる。
【００１４】
一方、内袋２は、図示の例では、一枚の防水シート２０を、展開状態にあるこの防水シート２０の中央２１が袋底となるように、シート縁２２を生け口３０の大きさに寄せるように折ることで構成されている。そして、図示の例にあっては、このように寄せた防水シート２０のシート縁２２を、外袋１の筒上端に縫着させ合わせることにより、この外袋１内に納められている。これにより内袋２を継ぎ目や縫い目なく構成させることができ、生けられる草花Ｆのためにこの内袋２内にため込まれる水を漏れ出させることがないようにすることができる。こうしておけば、縫ったりしたときにその箇所のシール処理をし難い素材からも内袋２を構成させることができる。かかる防水シート２０としては、防水処理を施された可撓性を持った各種の生地、例えば、ゴム引き防水布などを用いることができる。
【００１５】
また、かかる袋状花器は、
前記生け口３０を巡るように備えられた口部保形線材５と、
袋底４の保形板６と、
袋の上下方向に沿い、かつ、袋の周回方向において隣り合う側部保形線材７との間に間隔を開けるようにして備えられた、少なくとも３本以上の側部保形線材７とを有している。
【００１６】
図示の例では、保形板６は、外袋１の底生地１１の内面にこの底生地１１に倣った外郭形状を備えたプラスチックプレートを接着させることにより構成されている。かかる保形板６は、例えば、底生地１１を二枚に構成してこの二枚の底生地１１の間に挟み入れるようにして袋状花器に備えさせることもできる。
【００１７】
また、口部保形線材５は、図示の例では、外袋１を構成する側生地１０の上端を内向きに折り返して構成される周回状通し部１２に通されることにより、袋状花器に備えさせられている。
【００１８】
また、側部保形線材７は、図示の例では、外袋１を構成する隣り合う側生地１０間に形成される内隅部に生地両端を止着させて構成される縦向き通し部１３に通されることにより、袋状花器に備えさせられている。すなわち、図示の例では、袋状花器は角筒状をなす外袋１の四隅にそれぞれ上下方向に亘って側部保形線材７を有しており、四本の側部保形線材７を有している。
【００１９】
そして、図示の例にあっては、口部保形線材５と側部保形線材７の両者が、塑性変形を繰り返し可能とする材料によって構成されている。かかる材料としては、例えば、表面を被覆された焼き鈍された金属線材などを用いることができる。
【００２０】
内袋２は防水性を備えていることから、袋状花器内に水を蓄えた状態で生け口３０から草花Ｆを生け込むことができる。袋状花器は、袋底４の保形板６と口部保形線材５と側部保形線材７とによって、袋底４を下にして起立した状態で使うことができると共に、（図４）上下方向における中間部をつぶしたり、この中間部をひねったような状態にして使うこともできる。（図５）また、生け口３０の形を変えることもできる。
【００２１】
図示の例にあっては、内袋２の上端に形成された通し部２３を通して紐一端を外袋１の上側内面に止着させ、かつ、紐他端を外袋１の上側外面に取り外し可能にスナップボタンなどにより取り付けた吊り下げ用紐８が備えられており、この吊り下げ用紐８を利用して袋状花器を吊り下げ状にディスプレイすることもできるようになっている。
【図面の簡単な説明】
【００２２】
【図１】袋状花器の斜視図
【図２】図１におけるＡ−Ａ線断面図
【図３】図１におけるＢ−Ｂ線断面図
【図４】袋状花器の使用状態を示した斜視図
【図５】袋状花器の使用状態を示した斜視図
【符号の説明】
【００２３】
１  外袋
２  内袋
３  上部袋口
３０  生け口
４  袋底
５  口部保形線材
６  保形板
７  側部保形線材
Ｆ  草花
【図１】
0004791795.tif 000002
【図２】
0004791795.tif 000003
【図３】
0004791795.tif 000004
【図４】
0004791795.tif 000005
【図５】
0004791795.tif 000006